(57)【要約】      （修正有）【課題】通気性のよいライフジャケットを提供することである。【解決手段】ライフジャケットの後身頃と右前身頃と左前身頃の中に収納部４が収納され、収納部４は厚み方向に向かう繊維を有する網状体５を使用して外側部４ａが袋状に縫製されると共に収納部４の中は複数の仕切体４ｂで区画されて内部は複数個に分割されている。収納部４の中に分割した浮力材６が収納されて構成されている。網状体５は前後に隙間をおいて細い繊維束で網目が形成された表側網部５ａと裏側網部５ｂとこの間隙を厚み方向に向かう繊維１０からなり、この繊維１０が湾曲状に形成されて表裏の網部５ａ、５ｂ間に介在するため、表裏の網部５ａ、５ｂは繊維１０の弾性をもって間隙を有するように保持される。【選択図】図３
2009202748.tif 000002
【特許請求の範囲】
【請求項１】
網状体で形成した収納部に複数の浮力材を収納し、前記収納部の内側に前記収納部の厚味方向に延びて収納部が広がった状態を維持する仕切体で前記複数の浮力材の間を仕切ったことを特徴とするライフジャケット。
【請求項２】
前記仕切体を網状体で形成したことを特徴とする請求項１記載のライフジャケット。
【請求項３】
収納部内で仕切体を蛇行させて浮力材の間を仕切ったことを特徴とする請求項１または２に記載のライフジャケット。
【発明の詳細な説明】
【技術分野】
【０００１】
本発明は、通気性のよいライフジャケットに関する。
【背景技術】
【０００２】
従来特許文献１のように救命胴衣の浮力体をシ−ト体の表面に該表面の一部が表出するように部分的に取り付け、シ−ト体はその表裏両面に各々通気孔を有すると共に空気がシ−ト体内部を厚み方向に対して直交する方向に流動可能としたものが提案されている。
しかし、浮力材はシ−ト体表面に表出するように取り付けられているので剥がれ易い欠点がある。
更に浮力材は薄肉状の部分を介して一体に形成されているので浮力材の部分で空気の流動がない欠点がある。
他に通気性を改善するために浮力材に孔を開けたり、浮力材を分割することが行われているが、孔を開けると成形工程でコスト高になり、分割しても仕切りがないと浮力材がくっついてしまうので通気性の効果が得られない。
【特許文献１】特開２００４−２３１１０４号公報
【発明の開示】
【発明が解決しようとする課題】
【０００３】
解決しようとする問題点は、シ−ト体から浮力材が剥がれ易く、取り付け位置で通気性が悪いことである。
【０００４】
本発明の目的は前記欠点に鑑み、厚み方向に向かう繊維を有する布帛からなる網状体を使用した収納部の中に分割した浮力材を収納して通気性を改善したライフジャケットを提供することである。
【課題を解決するための手段】
【０００５】
本発明の請求項１は、網状体で形成した収納部に複数の浮力材を収納し、前記収納部の内側に前記収納部の厚味方向に延びて収納部が広がった状態を維持する仕切体で前記複数の浮力材の間を仕切ったことを要旨とするものである。
本発明の請求項２は、前記仕切体を網状体で形成したことを要旨とするものである。
本発明の請求項３は、収納部内で仕切体を蛇行させて浮力材の間を仕切ったことを要旨とするものである。
【発明の効果】
【０００６】
本発明の請求項により、網状体で形成した収納部に厚み方向に延びる仕切体を設けて分割した浮力材を収納したので、収納部内に空気が通り、通気性がよい。
収納部内に分割した浮力材が収納されているので離脱することがない。
収納部内は仕切体で仕切って形成されているので、分割した浮力材が分離した状態で収納されて通気空間が形成されているので、通気性が確保されて空気が通って快適になる。
【発明を実施するための最良の形態】
【０００７】
ライフジャケットＬは後身頃１と右前身頃２と左前身頃３とで形成されると共に、夫々の表地ａと裏地ｂを有し、これらが袋状に縫製連結されて形成されている。
ライフジャケットＬの後身頃１と右前身頃２と左前身頃３の中に収納部４が収納される。
収納部４は網状体５で形成され、厚み方向に向かう仕切体４ｂを設け、外側部４ａが袋状に縫製されると共に収納部４の中は複数の仕切体４ｂで区画されて内部は複数個に分割されている。
収納部４の中に分割した浮力材６が収納されて構成されている。
網状体５は前後に隙間をおいて細い繊維束で網目が形成された表側網部５ａと裏側網部５ｂとこの間隙を厚み方向に向かう繊維１０からなり、この繊維１０が湾曲状に形成されて表裏の網部５ａ、５ｂ間に介在するため、表裏の網部５ａ、５ｂは繊維１０の弾性をもって間隙を有するように保持される。
浮力材５はウレタン等の独立気泡体等の合成樹脂発泡体が使用されている。
【実施例１】
【０００８】
以下、図示の実施例によって本発明を説明すると、図１から図４は第１実施例で図１はライフジャケットの（ａ）正面図で（ｂ）（ｃ）はライフジャケットの内部に収納される前の浮力材が収納された左右前身頃の収納部で（ｄ）は同後身頃の収納部を示す展開図、図２は厚み方向に向かう仕切体の拡大斜視図、図３は浮力材が収納された収納部の横方向の断面側面図、図４は前身頃と後身頃の縦方向の断面側面図である。
【０００９】
ライフジャケット（救命胴衣）Ｌは後身頃１と右前身頃２と左前身頃３とで形成されると共に、これらの部位は夫々の表地ａと裏地ｂを有し、これら表地ａと裏地ｂが袋状に縫製で連結されて形成されている。
ライフジャケットＬの袋状の後身頃１と右前身頃２と左前身頃３の中に浮力材６を収納した収納部４が収納される。
収納部４は横方向の繊維とこれと交差する厚み方向に向かう繊維を有する立体状の網状体５を使用して外側部４ａが縫製されて袋状に形成されると共に収納部４の中は収納部４の表側４ｃと裏面側４ｄの間に前後方向（厚み方向）に架設された複数の仕切体４ｂで区画されて内部は複数個の収納空間Ｓに分割されている。
収納部４の各収納空間Ｓの中に分割した浮力材６が収納されて構成されている。
網状体５は前後に隙間をおいた繊維束で網目が形成された表側網部５ａと裏側網部５ｂとこの間隙を厚み方向に向かう繊維１０からなり、この繊維１０が湾曲状に形成されて表裏の網部５ａ、５ｂ間を往復するように介在するため、表裏の網部５ａ、５ｂは繊維１０の弾性をもって間隙を有するように保持される。
浮力材６はウレタン等の独立気泡体等の合成樹脂発泡体が使用されている。
右前身頃２と左前身頃３の縁部には係合チャックからなる開閉用止着部１１、１２が設けられて仕着した時身体の前で互いに開閉可能に止着出来るようになっている。
右前身頃２と左前身頃３には夫々ポケット１３、１４が取り付けられている。
【００１０】
仕切体４ｂで収納部４の収納空間Ｓが広がった状態が維持され、さらに収納部４が厚み方向に向かう繊維を有する網状体５が前後の細い繊維束で網目が形成された表側網部５ａと裏側網部５ｂと、この間隙を厚み方向に向かう上記湾曲状の繊維１０がコイル状に形成されていると、網状体５のつぶれが防止され細い繊維束で網目が形成された表裏の網部５ａ、５ｂで汗が吸収され、厚み方向に向かう繊維１０で表裏の網部５ａ、５ｂの間に間隙が保持それて通気性がよく、歩く動作で間隙の中を空気が移動する。
【００１１】
前記のようにライフジャケットＬが構成されると、袋状の収納部４に厚み方向に向かう網状体５の仕切体４ｂを使用して分割し、収納空間Ｓに浮力材６を収納したので、収納部４内に空気が通り、通気性がよい。
収納部４内に分割した浮力材６が収納され、更に収納部４が後身頃１、右前身頃２、左前身頃３の夫々表地ａと裏地ｂが袋状の中に収納されているので離脱することがない。
収納部４内は仕切体４ｂで仕切って形成され収納空間Ｓが広がっているので、分割した浮力材６が分離した状態で収納されて通気空間が形成されているので、通気性が確保されて涼しい空気が通って快適になる。
【実施例２】
【００１２】
図５から図７は第２実施例で図５はライフジャケットの正面図、図６はライフジャケットの内側を示す展開図、図７はライフジャケットの横方向の断面側面図である。
【００１３】
ライフジャケットＬは後身頃７と右前身頃８と左前身頃９とで形成されると共に、後身頃７と右前身頃８と左前身頃９が夫々が厚み方向に向かう繊維を有する網状体５で袋状に縫製連結されて形成されている。
従って後身頃７と右前身頃８と左前身頃９が収納部４′になって収納部内に収納部４′の前側と裏側の外側部７ａ、７ａ間に設けた仕切体７ｂで形成した収納空間Ｓに分割した浮力材６が収納されている。
収納部４′となる後身頃７と右前身頃８と左前身頃９は、網状体５を使用して後身頃７の場合、前後の外側部７ａ、７ａの間を往復するように蛇行して設けた仕切体７ｂで形成され、外側部７ａと仕切体７ｂは夫々前後に隙間をおいて細い繊維束で網目が形成された表側網部５ａと裏側網部５ｂとこの間隙を厚み方向に連結する繊維１０からなっている。
後身頃７と右前身頃８と左前身頃９の表地と裏地は網状体５の表側網部５ａで形成されることになる。
他の構成は前記第１実施例と略同一である。
【産業上の利用可能性】
【００１４】
本発明はライフジャケット全般に利用できる。
【図面の簡単な説明】
【００１５】
【図１】第１実施例で、ライフジャケットの（ａ）正面図で（ｂ）（ｃ）はライフジャケットの内部に収納される前の浮力材が収納された左右前身頃の収納部で（ｄ）は同後身頃の収納部を示す展開図である。
【図２】同厚み方向に向かう繊維を有する布帛からなる網状体の拡大斜視図である。
【図３】同浮力材が収納された収納部の横方向の断面側面図である。
【図４】同前身頃と後身頃の縦方向の断面側面図である。
【図５】第２実施例で、ライフジャケットの正面図である。
【図６】同ライフジャケットの内側を示す展開図である。
【図７】同ライフジャケットの横方向の断面側面図である。
【符号の説明】
【００１６】
４、７、８、９  収納部
５  網状体
４ｂ、７ｂ  仕切体
６  浮力材
【図１】
2009202748.tif 000003
【図２】
2009202748.tif 000004
【図３】
2009202748.tif 000005
【図４】
2009202748.tif 000006
【図５】
2009202748.tif 000007
【図６】
2009202748.tif 000008
【図７】
2009202748.tif 000009